【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
遊技者が遊技する遊技機を含む遊技用装置に対応して設けられ、前記遊技用装置から情報を収集する端末装置と、
前記端末装置が収集した情報を管理する管理装置と、
遊技場の作業者が携帯する携帯端末装置と、を備える遊技管理システムにおいて、
前記携帯端末装置は、
前記遊技機で遊技する遊技者に関する遊技者情報を入力する入力手段と、
前記遊技者情報を前記端末装置へ送信する端末送信手段と、を備え、
前記端末装置は、
当該端末装置に対応する前記遊技機の設置位置を特定可能な位置情報を記憶する位置情報記憶手段と、
前記携帯端末装置から送信された前記遊技者情報と前記位置情報とを関連付ける遊技者情報関連付手段と、
前記遊技者情報関連付手段によって関連付けられた前記遊技者情報及び前記位置情報を、前記管理装置に送信する管理装置送信手段と、を備えることを特徴とする遊技管理システム。
【請求項２】
遊技者が遊技する遊技機を含む遊技用装置に対応して設けられ、遊技場の作業者を呼び出す呼出装置と、
前記遊技用装置から情報を収集する、又は、前記遊技用装置及び当該遊技用装置に対応する前記呼出装置から情報を収集する情報収集端末装置と、
前記情報収集端末装置が収集した情報を管理する管理装置と、
前記作業者が携帯する携帯端末装置と、を備える遊技管理システムにおいて、
前記携帯端末装置は、
前記遊技機で遊技する遊技者に関する遊技者情報を入力する入力手段と、
前記遊技者情報を前記呼出装置へ送信する第１送信手段と、を備え、
前記呼出装置は、前記携帯端末装置から送信された前記遊技者情報を前記情報収集端末装置へ送信する第２送信手段を備え、
前記情報収集端末装置は、
前記情報収集端末装置の設置位置を特定可能な位置情報を記憶する位置情報記憶手段と、
前記携帯端末装置から送信された前記遊技者情報と前記位置情報とを関連付ける遊技者情報関連付手段と、
前記遊技者情報関連付手段によって関連付けられた前記遊技者情報及び前記位置情報を、前記管理装置に送信する第３送信手段と、を備えることを特徴とする遊技管理システム。
【請求項３】
前記遊技用装置は、当該遊技用装置の遊技情報を前記情報収集端末装置へ送信する遊技情報送信手段を備え、
前記遊技者情報関連付手段は、前記携帯端末装置から送信された前記遊技者情報、前記位置情報及び前記遊技情報を関連付け、
前記第３送信手段は、前記遊技者情報関連付手段によって関連付けられた前記遊技者情報、前記位置情報及び前記遊技情報を、前記管理装置に送信することを特徴とする請求項２に記載の遊技管理システム。
【請求項４】
前記第３送信手段は、前記遊技機が予め定めた所定の遊技状態であると判断すると、前記遊技者情報関連付手段によって関連付けて記憶された情報を管理装置に送信することを特徴とする請求項３に記載の遊技管理システム。
【請求項５】
前記遊技機で遊技する遊技者が、別の遊技者に入れ替わったことを、前記遊技情報に基づいて、検出する入替検出手段と
前記遊技者情報を記憶する遊技者情報記憶手段と、
前記入替検出手段によって検出された遊技者の入れ替わりに基づいて、前記遊技者情報記憶手段に記憶されている遊技者情報が有効であるか否かを判定する遊技者情報有効判定手段と、を備えることを特徴とする請求項３又は４に記載の遊技管理システム。
【請求項６】
前記遊技者情報有効判定手段は、前記遊技機の稼動量の大きさに基づいて、前記遊技者情報が有効であるか否かを判定することを特徴とする請求項５に記載の遊技管理システム。
【手続補正２】
【補正対象書類名】明細書
【補正対象項目名】０００８
【補正方法】変更
【補正の内容】
【０００８】
第１の発明は、遊技者が遊技する遊技機を含む遊技用装置に対応して設けられ、前記遊技用装置から情報を収集する端末装置と、前記端末装置が収集した情報を管理する管理装置と、遊技場の作業者が携帯する携帯端末装置と、を備える遊技管理システムにおいて、前記携帯端末装置は、前記遊技機で遊技する遊技者に関する遊技者情報を入力する入力手段と、前記遊技者情報を前記端末装置へ送信する端末送信手段と、を備え、前記端末装置は、当該端末装置に対応する前記遊技機の設置位置を特定可能な位置情報を記憶する位置情報記憶手段と、前記携帯端末装置から送信された前記遊技者情報と前記位置情報とを関連付ける遊技者情報関連付手段と、前記遊技者情報関連付手段によって関連付けられた前記遊技者情報及び前記位置情報を、前記管理装置に送信する管理装置送信手段と、を備える。
【手続補正３】
【補正対象書類名】明細書
【補正対象項目名】０００９
【補正方法】変更
【補正の内容】
【０００９】
第２の発明は、遊技者が遊技する遊技機を含む遊技用装置に対応して設けられ、遊技場の作業者を呼び出す呼出装置と、前記遊技用装置から情報を収集する、又は、前記遊技用装置及び当該遊技用装置に対応する前記呼出装置から情報を収集する情報収集端末装置と、前記情報収集端末装置が収集した情報を管理する管理装置と、前記作業者が携帯する携帯端末装置と、を備える遊技管理システムにおいて、前記携帯端末装置は、前記遊技機で遊技する遊技者に関する遊技者情報を入力する入力手段と、前記遊技者情報を前記呼出装置へ送信する第１送信手段と、を備え、前記呼出装置は、前記携帯端末装置から送信された前記遊技者情報を前記情報収集端末装置へ送信する第２送信手段を備え、前記情報収集端末装置は、前記情報収集端末装置の設置位置を特定可能な位置情報を記憶する位置情報記憶手段と、前記携帯端末装置から送信された前記遊技者情報と前記位置情報とを関連付ける遊技者情報関連付手段と、前記遊技者情報関連付手段によって関連付けられた前記遊技者情報及び前記位置情報を、前記管理装置に送信する第３送信手段と、を備える。
【手続補正４】
【補正対象書類名】明細書
【補正対象項目名】００１１
【補正方法】変更
【補正の内容】
【００１１】
第３の発明は、第２の発明において、前記遊技用装置は、当該遊技用装置の遊技情報を前記情報収集端末装置へ送信する遊技情報送信手段を備え、前記遊技者情報関連付手段は、前記携帯端末装置から送信された前記遊技者情報、前記位置情報及び前記遊技情報を関連付け、前記第３送信手段は、前記遊技者情報関連付手段によって関連付けられた前記遊技者情報、前記位置情報及び前記遊技情報を、前記管理装置に送信する。
【手続補正５】
【補正対象書類名】明細書
【補正対象項目名】００１８
【補正方法】変更
【補正の内容】
【００１８】
第３の発明によれば、遊技用装置は、当該遊技用装置の遊技情報を情報収集端末装置へ送信する遊技情報送信手段を備え、遊技者情報関連付手段は、携帯端末装置から送信された遊技者情報、位置情報及び遊技情報を関連付け、第３送信手段は、遊技者情報関連付手段によって関連付けられた遊技者情報、位置情報及び遊技情報を、管理装置に送信することによって、任意のタイミングにおける単なる客層情報ではなく、どのような遊技者によって遊技機が稼動していたかを把握することができ、より適正な客層情報を収集することができる。
【手続補正６】
【補正対象書類名】明細書
【補正対象項目名】０１０３
【補正方法】変更
【補正の内容】
【０１０３】
情報表示画面５１の左右には、装飾装置５７を備える。装飾装置５７は、ランプ、ＬＥＤ等の発光体よりなる。装飾装置５７は、対応する遊技機６ａで特賞が発生すると点滅する。